【手続補正書】
【提出日】平成20年9月10日(2008.9.10)
【手続補正１】
【補正対象書類名】明細書
【補正対象項目名】全文
【補正方法】変更
【補正の内容】
【書類名】      明細書
【発明の名称】  指先を固定できる手袋及び指サックと付属品
【特許請求の範囲】
【請求項１】手袋本体の少なくとも親指と人差し指の指部に、指先から第２関節に対応する内面の一部に粘着剤層を設けることを特徴とする作業用手袋。
【請求項２】少なくとも親指と人差し指の指先から第２関節の指部で、手袋本体内部を粘着剤で固定することを特徴とする作業用手袋の装着方法。
【請求項３】剥離紙に両面粘着シートを指先部の内側又は爪部に貼着できる小片にして配設したことを特徴とする手袋用粘着シート。
【請求項４】両面粘着シートに指先部の内側又は爪部に貼着できる小片にするスリットを入れたことを特徴とする手袋用粘着シート。
【請求項５】少なくとも親指と人差し指の指部の第１関節以後の手袋本体外部に粘着剤層があることを特徴とする作業用手袋。
【請求項６】指に止着する指サックの外面に手袋を固定する粘着剤層を設けたことを特徴とする作業手袋用指サック。
【請求項７】シリコーンバウンシングパテからなることを特徴とする作業手袋用定着材。
【請求項８】指に冠着される指サックにおいて、指サック内部の指先接触部にシリコーンバウンシングパテを設けたことを特徴とする指サック。
【発明の詳細な説明】
【０００１】
【産業上の利用分野】
本発明は、フィット性の悪い手袋及び指サックの作業性を向上させるため、指先部を固定又は安定できる手袋及び指サックとその付属品に関する。
【０００２】
【従来の技術】
従来、種々の作業で対象物及び手の保護目的で、使い捨ての作業用手袋が使われている。例えば、食品関係では衛生管理、医療や介護では双方の感染防止、精密機器や光学機器の取り扱いでは手の油脂等による汚染防止、化学実験や毒物・危険物の取り扱いでは手の保護である。特定の指のみに使用する場合は、指サックが使われている。手袋では、物を掴みやすくするため、できる限り手にフィットさせている。この実施手段として、素材に伸縮性をもたせて使い勝手の向上を図っている。フィット感が得られる作業用手袋として、天然又は合成ゴムやポリウレタン、塩化ビニール製のものが市販されている。
【０００３】
近年、手袋に関する課題として、医療や介護、葬儀関係では、感染症問題からその都度交換して、焼却廃棄することが重要視されている。そして、この廃棄焼却では、環境問題が強く意識されている。企業活動では、環境管理システムの国際規格ＩＳＯ１４００１を取得して、運営することが重要視されている。これにより、消耗経費の負担増とダイオキシンや環境ホルモンを発生させる手袋の使用禁止が課題となっている。この課題に対し、前記の伸縮性手袋は適さないため、安価なポリオレフィン系の手袋を使い捨てとして採用することが多くなっている。
【０００４】
ポリオレフィン系の手袋は、透明の低密度ポリエチレンフィルムを溶着成形した手袋が多く使用されている。しかし、この手袋は伸縮性に乏しい材質である。さらに、手の形状は個人差があり、汎用性を重視するために大きく設定されている。このため、フィット感が得られないことから指先に弛みが生じる。この弛みが、細かい作業では邪魔となり作業性を悪くしていた。逆に、この弛みによる通気性で内部の蒸れを防止する利点がある。
【０００５】
この手袋のたるみ防止手段として、手袋の外から輪ゴムで緊締する手段が想起できる。しかし、この手段は、締付けにより指先がうっ血して、違和感が強い。また、指の太さには個人差があり、輪ゴムの大きさを最適化することは困難である。他の手段として、ベルトなどで手首を締め付ける手段が多く提案されている。そして、手袋と手の固定手段として、手袋の内面に手の掌へ密着する粘着部を設けた特開昭５８−２１４５０３号、手の甲を粘着固定する登録実用新案第３０３６５３９号公報が提案されている。指先部をしっかり固定するゴルフ用手袋として、特開平８−１３１６０２号公報が提案されている。他の作業性の改善手段としては、手袋の指先部に爪と粘着部を設けて素手に近い機能を付与した、実開平０３−３０２１６号公報がある。これらの内、手首や甲部を締付ける手段は、ポリオレフィン系手袋では通気性の利点がなくなる。
【０００６】
また、作業性を悪くする原因として、指先の爪による問題がある。この課題に対し、手袋の指先に擬似指を設けた実開平７−３１８１６号公報が提案されている。爪の長い指に対しては、指サック先端部の外及び内側に保護用の補強を設けたり、爪の先が外側に出る開口部を形成する手段が提案されている。例えば、実開平０２−０８５１７７号、実開平０６−４２２１２号、特開平０８−５２９６０号公報がある。
【０００７】
【発明が解決しようとする課題】
今後、安価で廃棄に有利なポリオレフィン系の使い捨て手袋が、コスト面と環境問題から多く利用される。従来では、作業性が悪いと塩化ビニール製などのフィット性の良い手袋に替えていた。しかし、今後は環境問題等により安易に変更できない。このため、フィット性の悪い手袋での作業性を改善する必要が生じる。同様に、指サックにもこの課題が生じる。
【０００８】
例えば、毛染めのような一時的な作業では、メーカーが商品に添付して手袋を提供する。この手袋は、コスト面が重視され、解決手段は低コストで実施できることが望まれる。そして、使い捨てのため、構成部品を多くしたり環境に悪い機能部材は使用できない。従来の手段は、この新たな課題に適合するものでなかった。特に、使用済み品のごみ問題は、新たな社会問題であるため、この課題への考慮に欠けていた。また、感染や汚染の問題から、スポーツ用や軽作業用とは異なり、素手で手袋外面を触れることはできない。解決手段には手袋の着脱の容易さと安全性を考慮する必要がある。
【０００９】
また、指先と作業性の関係として、爪の問題がある。近年ではネールファッションが流行となり、爪を伸ばす傾向にある。この伸びた爪は作業性を悪くする原因となる。特に、使い捨ての手袋や指サックでは、さらにこの影響が現れる。美容関係では、作業性より伸びた爪が重視され、爪を切ることができない。このため。この伸びた爪に対応できる手段を、手袋に講じる必要が生じる。爪に関する課題は、爪による指先の隙間、爪よる手袋の破損、打鍵などによる爪の破損を防止することである。
【００１０】
このように、使い捨ての作業用手袋では、特に指先のフィット性の悪さから、作業性に問題が生じていた。本発明は、このフィット性の悪い手袋や指サックの指先部のフィット性を改善する。また、爪の影響を防止できる指先部の構造を開発する。これにより、安価でかつ環境にやさしい手袋類を使用する作業性の向上を図る。
【００１１】
【課題を解決するための手段】
作業用手袋では、指先のみのフィット性により作業性の向上を図れる。特に、物を掴む指である親指と人差し指がフィットすると、その効果は大きい。例えば、フィット性の悪い手袋で粘土状の２成分硬化性接着剤を混ぜる場合、接着剤の粘着性で手袋の指同士が付着し、練り作業が困難となる。ペースト状やゲル状の汚染物の取り扱いにおいても、同様の課題が生じる。この時、少なくとも親指と人差し指の指先部が固定されていると改善される。この指先の内側（指紋のある面）を固定又はフィットさせる手段で解決できる。
【００１２】
本発明は、手袋本体の少なくとも親指と人差し指の指部に、指先から第２関節に対応する内面の一部に、粘着剤層を設ける作業用手袋である。この手段は、手袋本体に粘着剤層を設けておく手法である。また、使用時に粘着シート等で手袋又は指の対応位置に粘着剤層を設ける手法がある。これは、少なくとも親指と人差し指の指先から第２関節の指部で、手袋本体内部を粘着剤で固定する作業用手袋の装着方法である。粘着シート等には、液状で粘着剤層を形成できる成膜剥離性粘着剤が含まれる。
【００１３】
この手段に最適化した形態の粘着シート等は、本発明の備品として提供できる。剥離紙に両面粘着シートを指先部の内側又は爪部に貼着できる小片にして配設した手袋用粘着シートである。両面粘着シートは感圧接着剤である。耐水性は発汗による剥離を防止できる程度の性能で、長期に亘る防止機能は要求しない。剥離紙では、環境問題から不用にした両面粘着シートが開発されている。この両面粘着シートを採用する場合は、両面粘着シートに指先部の内側又は爪部に貼着できる小片にするスリットを入れた手袋用粘着シートとする。これらシート形態はテープ状にしても提供できる。
【００１４】
次に、手袋の外部から手袋の指部をフィットさせる手段を用いた、少なくとも親指と人差し指の指部の第１関節以後の手袋本体外部に粘着剤層がある作業用手袋が構成できる。
【００１５】
次に、指に止着する指サックの外面に手袋を固定する粘着剤層を設けた作業手袋用指サックである。指にフィットして容易に抜けない指サックの固定機能と、粘着剤の粘着機能で手袋の指先部を固定する。
【００１６】
次に、手袋とシリコーンバウンシングパテからなる作業用手袋である。この発明は、シリコーンバウンシングパテからなる作業手袋用定着材（剤）である。シリコーンバウンシングパテは特異な粘性物で、優れた付着特性と変形特性と表面物性を活用することで、指先部の作業性を容易に改善できる。この構成要素である定着材は、単に定着するだけてなく伸びた爪の障害を回避することができる。
【００１７】
指に冠着される指サックにおいて、指サック内部の指先接触部にシリコーンバウンシングパテを設けた指サックである。シリコーンバウンシングパテの優れた変形特性を利用して、伸びた爪の障害を回避することができる。シリコーンバウンシングパテは柔軟な皮膜で遮断することが好ましいが、指へ直接使用してもよい。
【００１８】
【発明の実施の形態】
本発明の実施の形態を説明する。手の掌や甲を固定する手段は、手を動かすとずれによる張りと緩みが生じ、指先部の固定は不安定となる。これを強引に固定すると窮屈感が発生して、逆に作業性が悪くなる。手首を締め付ける手段も同様である。これは、固定位置と指先までの距離に起因し、距離が長くなるほどずれが大きくなる。本発明は指先部で固定し、このずれの作用を最小限とする。手袋内部での粘着による固定手段では、先端が好ましいが指の第２関節までの間が可能である。
【００１９】
本発明の実施例を説明する。本発明の目的は、安価な手袋の作業性の改善である。このため、ポリエチレンフィルムを重ねて手袋形状に溶着裁断する製法の手袋で説明する。図１は、本発明の手袋の外観図である。手袋１は、肉厚０．０５ｍｍの半透明の高密度ポリエチレンフィルムからなる使い捨て手袋である。手袋１本体の少なくとも親指部１ａと人差し指部１ｂに幅５ｍｍ長さ８ｍｍのアクリル系粘着剤層２を設ける。この実施例では、指先の内側を粘着固定する設定で、粘着剤層２を配置した。右手用と左手用の一対を製作し、粘着剤層２同士を剥離紙３を挟んで連結する。この状態の手袋１本体の表面は使用時では裏面である。図２は、図１の指先部Ａ−Ａ部の部分断面図である。図のように、指先固定部は、両アクリル系粘着剤層２の間にシリコーン系両面剥離紙３を挟んで収容される。
【００２０】
この手袋１は、裏返しにして粘着剤層２を内面にして手を入れる。親指と人差し指の指先を弛まないようにしっかり挿入して、粘着剤層２を感圧して指先を固定する。このように、作業用手袋の装着方法は、少なくとも親指と人差し指の指先から第２関節の指部で、手袋本体内部を粘着剤で固定する。これは手袋の抜け防止とは異なるため、粘着剤層２の引張接着力は、対ステンレスで１５Ｎ／ｃｍ2（ＪＩＳ−Ｚ０２３７）程度でよい。作業が終了すれば裏返しにしながら手を抜き取る。粘着剤がどちらに付着して離れるかは、発汗や作業の状況により異なる。手袋に付着した場合は、そのまま廃棄する。指に付着した場合は、粘着剤を剥がして廃棄する。このように、外部で緊締する手段に比べ、容易かつ汚染に対し安全に着脱できる。粘着剤層２は、天然ゴム系粘着剤、合成ゴム系粘着剤、アクリル系粘着剤、ウレタン系粘着剤、オレフィン系粘着剤、シリコーン系粘着剤が採用できる。
【００２１】
この少なくとも親指と人差し指の指先から第２関節の指部で、手袋本体内部を粘着剤で固定する作業用手袋の装着方法は、装着前に所定の指へ粘着剤層を設けても実施できる。最も簡単な方法は、両面粘着シートを貼着することである。他に、天然ゴム、ポリイソプレンゴムなどのゴムやポリビニルアルコール、酢酸ビニル系ポリマーなどを主剤とし、粘着付与剤、架橋剤（凝固剤）を加え、揮発し易い溶剤で液状とした成膜剥離性接着剤（皮膚に対する剥離性）が採用できる。この接着剤を指へ塗布して、乾燥させて粘着剤層を指へ形成する。例えば、類似した接着剤として、皮革専用接着剤の「タッチボンド」（商標）や塗布タイプの粘着剤が慣用されている。これらは用途が異なるが、乾いても伸縮性のある耐水性粘着膜を作り、使用後は指から粘着剤を剥離できる。この構成の接着剤を手袋の固定用として用いることができる。
【００２２】
次は、手袋用粘着シートの実施例である。図３は、手袋用粘着シートの斜視図である。粘着テープ類に用いられている剥離紙（ライナー）３に、アクリル系粘着剤からなる両面粘着シート２ａを５ｍｍ角に裁断し、接触しないように１ｍｍの間隔を空けて配設する。この配設手法は、ラベル類でよく用いられており、これと同様である。本粘着剤の種類は、感圧接着剤で既存の両面粘着テープが採用できる。例えば、天然ゴム系粘着剤、合成ゴム系粘着剤、アクリル系粘着剤、ウレタン系粘着剤、オレフィン系粘着剤、シリコーン系粘着剤である。しかし、指に直接接着させるため、かぶれなどの炎症防止を考慮する必要が生じる。また、長時間使用する場合は、発汗による耐水性を考慮する必要が生じる。これらの問題を解決する粘着剤として、医療用粘着剤が各種慣用されている。刺激性成分モノマーを含まないアクリル酸エステル系やシリコーン系などの粘着剤から選択して、両面粘着シート２ａに採用することが好ましい。例えば、薄紙を支持体とし、その一方の面に指側のシリコ−ン系粘着剤層、他方の面にアクリル系粘着剤層にした構造が採用できる。指先に適用できる耐水性や低刺激性の粘着剤は、既に慣用されている種々のものから選択でき、本発明用に新たに粘着剤を開発する必要はない。
【００２３】
一般に、両面粘着シートは環状に巻いたテープ形態で使用されている。本発明は、この形態で手袋用テープを構成できる。図４は、テープ状の手袋用粘着シートの斜視図である。例えば、図のように幅１０ｍｍの両面粘着シート２ａを長さ７ｍｍに裁断し、幅１０ｍｍの剥離紙３テープに配設して環状にした手袋用テープとする。本両面粘着シートの形状は、円、角、多角形など各種形状が採用できる。好ましい形状は、指先の裏面と類似した楕円形である。使用方法は、両面粘着シート２ａに貼着したい指先部を押付け、指先にこの粘着剤層を貼着させて使用する。その後、手袋を装着して指先を固定する。固定方法は、所定の指先を弛まないようにしっかり挿入し、粘着剤層部を感圧して固定する。粘着剤層部を感圧しない限り手袋とは付着せず、容易に装着できる。タック性の強い粘着剤は好ましくない。
【００２４】
次に、両面粘着テープでは、環境問題のごみ対策から剥離紙を不用にした両面粘着シートが開発されている。例えば、住友スリーエム（株）製のアクリル系粘着剤の透明両面テープ「６６５番」が開発されている。このような両面粘着シートを採用する場合は、両面粘着シートを指先部の内側又は爪部に貼着できる小片に切断する、スリットを入れた手袋用粘着シートが構成できる。図５は、剥離紙の無い手袋用粘着シートの斜視図である。テープ状の幅１０ｍｍの両面粘着シート２ａに、７ｍｍ間隔にスリット３ａを入れた手袋用粘着シート（テープ）である。この粘着シートはディスペンサーに収容して、一般の粘着テープ感覚で使用できる。使用方法は、スリット３ａ部を指で切断し、この切断シート片を指先に貼着して使用する。手袋の装着固定方法は前記と同じである。この形態はスリットを交差させたシート状にしても提供できる。これら前記の手袋の装着は、図６の手袋装着状態の指先部の断面図のようになる。手袋１の指先部は、粘着剤層２又は両面粘着シート２ａで指５に固定される。
【００２５】
次は、手袋の外部から手袋の指部をフィットさせる手袋の実施例である。図７は、外部に粘着剤層がある手袋の正面図である。少なくとも親指部１ａと人差し指部１ｂの第１関節以後の手袋１本体外部に粘着剤層２がある作業用手袋である。粘着剤層２は両面粘着シートを貼着してもよい。この手袋の装着は、図８の手袋締着状態の指部の断面図のようになる。この作業用手袋は、装着後に手袋１の弛み代を重ね合せ、指５を締着して指先部を固定する。この重ね合せ部を粘着剤層２で固定することで、個人差のある個々の指の太さに対応する。このため、無理な締付けがないことで、うっ血などの窮屈感が発生しない。この締着は、関節の太さによる差を利用すると、効果的に固定できる。この締着は強引な締付けを避け、関節間の細い部位で手袋を合せ、関節部の太さを利用して移動を防止する。このように、使い捨て手袋では耐久性を考慮しなくてもよいため、締着部品がなくても容易に粘着剤で指先部の固定が実施できる。粘着剤層２の特性は、皮膚への刺激性を考慮しなくてもよい。一般的なアクリル系粘着剤が好ましい。この手袋は、図１のように対の手袋を剥離紙で挟んで提供できる。
【００２６】
次は、指サックを利用した作業手袋用指サックの実施例である。図９は、作業手袋用指サックの斜視図である。指に止着する指サック６の外面に、図のように粘着剤層２を設けた作業手袋用指サックである。指に止着する指サックとは、指にフィットして容易に抜けない指サックである。この指サックの指との固定機能を利用して作業手袋の指先部を固定する。本指サックを固定したい指に装着し、指サック６に設けた粘着剤層２部で手袋１を貼着する。図１０は、粘着剤付き指サックの装着状態の断面図である。指サックの固定機能と粘着機能で手袋の指先部は固定される。粘着剤層２は爪側に設けても手袋を固定できる。粘着剤は指サックの外面範囲に設ければよい。
【００２７】
本作業手袋用指サックは、ゴム製の指サック６に長さ１０ｍｍ幅７ｍｍの両面粘着シートを貼着し、粘着剤層２を固着する。手袋を固定する粘着面は、水で洗うとごみを除去して粘着機能が再生するウレタン系粘着剤を使用する。この粘着シートは両面粘着シートで、片面がこのウレタン系粘着剤、裏面が強粘着のアクリル系粘着剤である。粘着剤層２はアクリル系粘着側で指サックに固着する。この指サックは、粘着剤層２面を水で洗って繰り返し使用する。本商品は、親指用指サックと人差し指用指サックをセットで提供することが好ましい。
【００２８】
次は、シリコーンバウンシングパテからなる作業手袋用定着材の実施例である。本発明に使用するシリコーンバウンシングパテ（以下シリコーンバウンシングパテをパテと呼ぶ）は、シロキサン基の１部にホウ素を結合させてホウ素含有シロキサンとし、ホウ素含有シロキサンからなるポリマーを欠くことのできない構成剤とし、このポリマーに配合剤として、乾式シリカ微粉末などの補強材や顔料などの機能剤などを加えてパテ状に構成したものである。図１４はパテの基本的な構造図である。図のように、従来の粘土状組成物で凝集力を発生させる親和作用（濡れ）に加え、ホウ素含有シロキサンポリマー７の酸素原子７ｂとホウ素原子７ａとの相互作用の凝集力が付加されている。この相互作用は、シロキサンポリマー間のみで選択的に作用し、親和性より強く作用する。従来の粘土状組成物に該当する、ホウ素を含有しないシロキサンポリマー（例えば、オルガノポリシロキサンからなるジメチルシリコーンオイル類）からなる混和物とは異なる挙動を示す。また、シリコーン粘着剤とも構造が異なる。パテ状製品として、ダウコーニング社製のダイラタントコンパウンド、信越化学工業（株）製のＫＥ−ＳＡ−Ｐが上市されている。
【００２９】
本相互作用は、非ニュートン粘性（異常粘性）の１つであるダイラタンシー（ｄｉｌａｔａｎｃｙ）現象を発現させる。この現象は、見かけの粘性率がずれ速度のみによって変化する。温度と気圧を一定にした場合、応力の作用速度により、速い速度では固体となり、遅い速度では流動体となる。パテは、シロキサンポリマーを主成分とする混和物であるため、速い速度では硬化シリコーンゴム状態となり、遅い速度ではパテ又はペースト状態となる。物性は、速い速度ではゴム状態の弾性が発現し、遅い速度では弾性のない延性の優れた粘性及び可塑性を発現する。この指触粘着と移行性が無い硬化シリコーンゴムと同様の表面は、触るだけでは付着しない。定着力を発生させる特異な付着力は、この面が変形することで発生する。パテに指を接触させて少し加圧させると、遅い速度の応力が作用し、パテはダイラタント流動して変形する。この変形は、液体のように変形して指面のミクロの凹凸面に密接する。さらに、線状のシロキサンポリマーがミクロの凹凸に配列すると、ファン・デル・ワールスの力が発生し、双方間の定着に必要な固定力が発現する。これはシリコーンゴムで型取りした状態と同じである。そして、離す時は硬化シリコーンゴムの離型特性を利用できる。この粘性化手段は、環境ホルモンとダイオキシンを発生させる成分を必要としない。
【００３０】
このパテを所定の指先に押し付けて付着させ、手袋又は指サックを装着する。この時点では、粘着剤でいわれるタック性は無く、簡単に離れてしまう。この非粘着状態を利用して、指先を所定の位置にしっかり挿入する。パテはタック性が無いため、位置を補正して最適な部位に装着できる。この状態で手袋の外部からパテを押し続けると、パテは変形して手袋と指の間を充填する。この変形させる力は、遅い速度で作用するため、粘性流体のようにダイラタンシー流動が始まり、皮膚面形状に完全に密接する。図１１は、パテで手袋を定着した断面図である。この状態で放置すると、パテ４のポリマーは、指５の皮膚面及び手袋１面のミクロ形状に配列して分子間が接近し、ファン・デル・ワールスの力が発生する。この力が指５と手袋１の間に作用して貼着力が発現する。この貼着力は８秒程度の遅延で発現する。パテの優れた変形性は、装着時に変形した皮膚の変形を補正し、しばらくすると自然状態に戻して装着感が消滅する。
【００３１】
この手袋１を定着した状態で作業すると、パテ４は外部からの作用に対してシリコーンゴム状態となる。この外力は速い速度で作用するためこの状態となる。例えば、キーボードの打鍵操作では、パテ４が硬化シリコーンゴムとなり、この面でキーを叩く状態となる。このダイラタンシー現象は、伸びた爪５ａを保護すると供に、手袋１には爪の角の鋭部が当たらないことで保護できる。さらに、皮膚に密接しているため力が分散し、叩力はやさしく作用する。このように、酸素原子とホウ素原子との相互作用は、指先に肉を付けた状態で手袋を定着できる。単に、粘土状組成物を充填したのとは異なる効果がある。
【００３２】
図１５は、パテの接触の概念図である。被接触面に存在するパテ主成分のホウ素含有シロキサンポリマー７は、パテ本体には親和作用（ぬれ）による凝集力と酸素原子７ｂとホウ素原子７ａの相互作用が作用し、被接触面には親和作用による付着力が作用する。各力のエネルギーは、常にパテ側の該相互作用分だけ多くなり、ポリマー７はパテ本体側に高い確率で移行する。このように、相互作用は定着材の非移行性を実現させ、離型性と共に作用することで被接触物にやさしい表面物性を発現させている。この作用は、不快感を与えない高い非汚染特性を得ている。従来の粘土状組成物に該当する、ホウ素を含有しないシロキサンポリマーからなる混和物では、親和性のみに依存するため、移行する側が明確にならない。このため、離型性を得るが成分の移行は防止できない異なる挙動を示す。当然、油や粘着ポリマーを可塑剤や結合剤としている粘土状組成物は、これ以上に成分が移行して接触物を汚染する。パテからなる本定着材は、変形自在でも手や周辺物を汚さない。
【００３３】
この非移行性とシリコーンの離型性で、粘土状であっても皮膚と手袋からきれいに離れる。このため、本定着材は使い捨てではなく、繰り返し使用できる。商品としては、塊状で容器に収容して提供し、容器から適量を取って指に付けて使用する。前記では、指の裏に付けて手袋を固定したが、裏以外でも利用できる。図１２は、パテを爪に付けて定着した断面図である。伸びた爪の課題がない場合は、指５の爪５ａ部にパテ４を付着させ、手袋１の指先部を定着させる。これら定着材の補強剤は、重量比でホウ素含有シロキサンポリマー１００部に対し、使用感や耐候性から５０〜６０部が好ましい。また、パテは疎水性を付与するため、生体に安全な流動パラフィン、各種油、疎水性微粉末を適量加える。このように、生体に不活性なシリコーン成分と反応性の無い成分から、適したパテを構成できる。本定着材は、長時間皮膚に接触しても、かぶれ等の炎症を発生させない。
【００３４】
次は、パテを指サックに採用した実施例である。これは、主に伸びた爪の問題を解決する指サックである。図１３は、パテを設けた指サックを装着した断面図である。内側の指サック６と外側の指サック６の間に、パテ４を先端部に挟んで設けた構造である。伸びた爪の指５に装着すると、伸びた爪５ａで発生する隙間をパテ４が埋めて爪による障害を回避する。一般の指サックを装着すると、パテ４で埋めた分の隙間が生じて、触感が不安定となる。この状態は、作業性が悪くなり、指サックも長持ちしない。爪には、作業による外力や指サックによる締付け力が局部的に作用しなくなり、爪を保護する。そして、パテ４は内側の指サック６で保護されるため、耐候性が向上できる。内側の指サック６はできる限り柔軟なものを選択することが好ましい。
【００３５】
この実施例の指サックは、ゴム製の薄膜で構成されているもので実施できる。これは市販されている安価な指サック２個で構成できる。部分的に設ける手段として、指サック内部の先端に柔軟な皮膜でパテ４を内包して設けてもよい。パテと指先の間を柔軟なシートで遮断する手段でもよい。また、手袋で実施したように、直接パテを爪の隙間に充填しても、本効果は得られる。
【００３６】
本発明の手袋及び指サックは、手先の細かい作業をする場合の作業性を改善する。具体的には、精密機器、光学機器、オプト・エレクトロニクス機器、光ファイバーの組付作業や配線作業に適している。他に、医療や介護関係、事務や製造での細かい作業、学校等での実験作業、コピー機などの精密電子機器の修理など、汚染と細かい作業が伴う場面で効果を発揮する。伸びた爪では、コンピュータや楽器などの打鍵操作においては、爪の障害回避と爪の保護が図れる。
【００３７】
【発明の効果】
以上説明したように、本発明では次のような効果がある。
（イ）指先部を固定することで、手袋のたるみによる障害を回避し、作業性が向上する。そして、この障害が起因する誤操作や事故を防止する。
（ロ）既存の手袋の構造及び材質を変更することなく、簡単に指先部を改善できる。そして、固定手段に用いる構成部材の軽少化と同質化が容易になり、廃棄処理に有利な手袋にできる。
（ハ）指先部のみを固定することで、フィット性の悪い利点である通気性を損なわない。このため、発汗による蒸れ、締め付け感を防止できる。そして、固定効果の副産物として、手袋の裏返しが容易にできる。この容易さは、汚染物の付着及び感染を防止できる。
（ニ）パテによる固定手段は、特異な変形特性により爪の障害を回避する。また、肉のように作用し、違和感のない作業性が得られる。このパテはタック性が無いため、装着時に周囲の物を貼付けることがなく、試行錯誤な操作が可能となり使い勝手が良い。そして、刺激性の無い成分から構成でき、皮膚のかぶれ等の炎症が発生しない。
【図面の簡単な説明】
【図１】
本発明の手袋の外観図。
【図２】
図１の指先部Ａ−Ａ部の部分断面図。
【図３】
手袋用粘着シートの斜視図。
【図４】
テープ状の手袋用粘着シートの斜視図。
【図５】
剥離紙の無い手袋用粘着シートの斜視図。
【図６】
手袋装着状態の指先部の断面図。
【図７】
外部に粘着剤層がある手袋の正面図。
【図８】
手袋締着状態の指部の断面図。
【図９】
作業手袋用指サックの斜視図。
【図１０】
粘着剤付き指サックの装着状態の断面図。
【図１１】
パテで手袋を定着した断面図。
【図１２】
パテを爪に付けて定着した断面図。
【図１３】
パテを設けた指サックを装着した断面図。
【図１４】
パテの基本的な構造図。
【図１５】
パテの接触の概念図。
【符号の説明】
１    手袋
１ａ  親指部
１ｂ  人差し指部
２    粘着剤層
２ａ  両面粘着シート
３    剥離紙
３ａ  スリット
４    シリコーンバウンシングパテ
５    指
５ａ  爪
６    指サック
７    ホウ素含有シロキサンポリマー
７ａ  ホウ素原子
７ｂ  酸素原子